(57)【要約】【課題】  本発明は、緊急時に、看護師等が拘束帯を速やかに解除できるようにするための患者用拘束帯解除具を提供することを課題とする。【解決手段】  持ち手となる脚１と、この脚１の延長上に設けた胴２と、この胴２の先端部から伸びた腕３と、この腕３と胴２との間の脇の下部分に設けたカッター４と、胴２の先端部に装備され磁気ロック装置の解除具を着脱可能に固定する解除具固定手段５とを備えた。【選択図】  図１
2010268863.tif 000002
【特許請求の範囲】
【請求項１】
持ち手となる脚と、この脚の延長上に設けた胴と、この胴の先端部から伸びた腕と、この腕と前記胴との間の脇の下部分に設けたカッターと、前記胴の先端部に装備され磁気ロック装置の解除具を着脱可能に固定する解除具固定手段とを備えたことを特徴とする患者用拘束帯解除具。
【請求項２】
持ち手となる脚と、この脚の延長上に設けた胴と、この胴の先端部から伸びた腕と、この腕と前記胴との間の脇の下部分に設けたカッターと、前記胴の先端部に装備した磁気ロック装置の解除具とを備えたことを特徴とする患者用拘束帯解除具。
【請求項３】
前記腕およびカッターを前記胴の両脇に備えたことを特徴とする請求項１又は２に記載の患者用拘束帯解除具。
【請求項４】
請求項１，２又は３に記載の患者用拘束帯解除具において、
前記脚又は胴に、前記カッターの方向を照らす１又は複数の照明手段を備えると共に、当該照明手段をオン／オフするスイッチと、このスイッチの操作に応じて前記照明手段を点灯／消灯する発光駆動制御回路とを備えたことを特徴とする患者用拘束帯解除具。
【発明の詳細な説明】
【技術分野】
【０００１】
本発明は、医療や介護現場で用いられる患者用拘束帯解除具に係り、特に、ベッドや車椅子に拘束帯によって拘束された患者を緊急時に、当該拘束帯から解放するために好適な患者用拘束帯解除具に関する。
【背景技術】
【０００２】
精神科病棟で自傷行為や他害行為を防止するために、拘束帯により患者を拘束する場合がある。また、介護施設や重症障害者施設では、身体拘束が原則として禁止されているが、患者の安全を守る上でやむを得ない場合には拘束帯を使用する場合がある。その他、一般病院でも手術後の不穏状態などが出現することがあり、そのようなときに、一時的に拘束帯を使用する場合がある。
【０００３】
図５は、拘束帯により患者をベッドに拘束した状態を示している。拘束帯５１には、多数の孔５２が設けられている。拘束帯５１を患者の身体に巻き付け、拘束帯５１に設けられた孔５２と孔５２とを重ね合わせ、その重ね合わせた孔５２に磁気ロック装置５３（マグネット式ロックピン）を装着することによって、拘束帯５１を施鍵する。
【０００４】
磁気ロック装置５３の構造は、特許文献１に記載されている。簡単に説明すると、Ｔ型のピンを重ね合わせた孔５２に通し、その先端に嵌合する蓋を被せることによって、Ｔ型のピンが外れなくなる。この蓋を取り外すためには、外部から磁力を与えなければならない構造となっており、蓋を取り外すためには、専用の解除具（マグネットキー）が必要となる。
【０００５】
さて、このように拘束帯を施された状態において火災や災害等の緊急事態が生じた場合、看護師等は、速やかに拘束帯を解除し、患者を保護しなければならない。
【先行技術文献】
【特許文献】
【０００６】
【特許文献１】米国特許第５６００９７７号明細書
【発明の概要】
【発明が解決しようとする課題】
【０００７】
本発明は、緊急時に、看護師等が拘束帯を速やかに解除できるようにするための患者用拘束帯解除具を提供することを課題とする。
【課題を解決するための手段】
【０００８】
上記課題を解決するため、本発明では、以下の構成を採っている。
【０００９】
（１）持ち手となる脚と、この脚の延長上に設けた胴と、この胴の先端部から伸びた腕と、この腕と前記胴との間の脇の下部分に設けたカッターと、前記胴の先端部に装備され磁気ロック装置の解除具を着脱可能に固定する解除具固定手段とを備えたことを特徴とする患者用拘束帯解除具。
本発明によると、カッターによる拘束帯の切断又は磁気ロック装置の解除による拘束帯の解除を行なうことができ、状況に応じて拘束帯の解除方法を選択することができる。また、磁気ロック装置の解除具を着脱することができるので、今まで使用していた磁気ロック装置の解除具を取り付けて使用することができる。
【００１０】
（２）持ち手となる脚と、この脚の延長上に設けた胴と、この胴の先端部から伸びた腕と、この腕と前記胴との間の脇の下部分に設けたカッターと、前記胴の先端部に装備した磁気ロック装置の解除具とを備えたことを特徴とする患者用拘束帯解除具。
本発明によると、カッターによる拘束帯の切断又は磁気ロック装置の解除による拘束帯の解除を行なうことができ、状況に応じて拘束帯の解除方法を選択することができる。
【００１１】
（３）前記腕およびカッターを前記胴の両脇に備えたことを特徴とする請求項１又は２に記載の患者用拘束帯解除具。
本発明によると、カッターを胴の両脇に備えることにより、片方のカッターの切れ味が落ちたり破損をしても、他方のカッターを使用して拘束帯の解除を進めることができる。また、胴の両脇にカッターを備えていることから、暗闇など視界の悪い状況において、解除具を握る向きをさほど気にする事無く使用することができる。
【００１２】
（４）請求項１，２又は３に記載の患者用拘束帯解除具において、前記脚又は胴に、前記カッターの方向を照らす１又は複数の照明手段を備えると共に、当該照明手段をオン／オフするスイッチと、このスイッチの操作に応じて前記照明手段を点灯／消灯する発光駆動制御回路とを備えたことを特徴とする患者用拘束帯解除具。
本発明によると、照明手段を発光させることにより、カッター周辺を照らすことができるので、暗闇でも拘束帯の解除を進めることができる。
【発明の効果】
【００１３】
本発明によれば、緊急時等に、看護師等が拘束帯を速やかに解除可能な患者用拘束帯解除具を提供することができる。
【図面の簡単な説明】
【００１４】
【図１】本発明の一実施形態である患者用拘束帯解除具の構成図である。
【図２】磁気ロック装置を解除するための専用解除具の外観を示す概略構成図である。
【図３】図１の構成に含まれる照明装置のブロック構成図である。
【図４】図１に示す解除具の使用方法を示す使用状態図である。
【図５】拘束帯による拘束例を示す状態図である。
【発明を実施するための形態】
【００１５】
以下、本発明の一実施形態を図面を参照しつつ説明する。
【００１６】
図１は、本願発明による患者用拘束帯解除具の構成図である。正面図と、底面図と、左側面図を示している。
【００１７】
患者用拘束帯解除具は、持ち手となる脚１と、この脚１の延長上に設けた胴２と、この胴２の先端部から伸びた腕３，３と、この腕３，３と胴２との間の脇の下部分に設けたカッター４，４と、胴２の先端部に装備され磁気ロック装置の解除具を着脱可能に固定する解除具固定手段５とを備えている。
【００１８】
本実施形態において、腕３およびカッター４は、胴２の両脇に備えている。
【００１９】
また、本実施形態において、脚１には、カッター４，４の方向を照らす２つの照明手段６，６が装備されている。また、脚１には、照明手段６，６をオン／オフするスイッチ７と、このスイッチ７の操作に応じて照明手段６，６を点灯／消灯する発光駆動制御回路８とを備えている。
【００２０】
符号９は、発光駆動制御回路８および照明手段６，６に電力を供給する電源である。また、符号１１は、ストラップを取り付けるための孔である。
【００２１】
これを更に詳述すると、本実施形態において、脚１は、断面が長方形である柱状に形成されている。この脚１の長手方向の延長上にある胴２は、脚１と同様に柱状に形成されているが、正面図における幅が脚１に比べ幾分細くなっている。胴２の先端から伸びた腕３，３は、胴２と腕３との間に拘束帯を導くのに十分な隙間を隔て、胴２と平行に胴２と脚１との付け根まで伸びている。脚１、胴２および腕３の材質は、樹脂により軽量に形成するとよい。カッター４は、脚１から胴２の方向に向かって胴２と腕３との間に案内される拘束帯を、切断する向きに取り付けられ、その刃は、胴２側よりも腕３側が突き出ている。
【００２２】
解除具固定手段５は、磁気ロック装置のロックを解除するための専用解除具（マグネットキー）を挟持する。磁気ロック装置およびこれを解除する専用解除具については、前述のとおり、特許文献１（米国特許第５６００９７７号明細書）に記載されている。その専用解除具の外観の概略を図２に示す。磁気ロック装置を解除する専用解除具は、磁石を装備した本体２１と、この本体２１を手に持つためのハンドル２２とを備えている。解除具固定手段５は、この専用解除具のハンドル２２の部分を着脱可能に挟持する機構とする。当該機構として例えば、鉛筆補助軸が鉛筆を着脱可能に挟持する機構や、電動ドリルのドリルチャックが替え刃を着脱可能に挟持する機構等を採用することが可能である。
【００２３】
また、照明手段６，６は、ＬＥＤ照明であり、脚１に格納されている。スイッチ７は、プッシュロックスイッチであり、脚１と胴２の付け根辺りに配置されている。発光駆動制御回路８および電源９は、脚１に内蔵されている。
【００２４】
図３は、照明装置のブロック構成図である。発光駆動制御回路８は、スイッチ７が押し込まれると、電源９の電力を照明手段（ＬＥＤ）６，６に供給し、ＬＥＤを発光させる。また、発光駆動制御回路８は、再度スイッチ７が押し込まれスイッチ７がリリースされると、照明手段６，６への通電を停止し、ＬＥＤを消灯する。
【００２５】
ここで、スイッチ７は、プッシュロック型としたが、例えば、スイッチ７をロック機能の無い押しボタンスイッチとし、発光駆動制御回路８が、スイッチ７の操作を検知するたびに、ＬＥＤへの通電を開始／停止と交互に切り替えてもよい。電源９は、小型の乾電池やボタン型電池がよい。
【００２６】
次に、以上説明した患者用拘束帯解除具の使用方法を述べる。拘束帯を切断する場合、持ち手となる脚１の部分を握り、図４に示すような姿勢で、拘束帯５１を胴２と腕３の間に案内し、その奥のカッター４によって、拘束帯５１を切断する。暗闇では、スイッチ７を操作し、照明手段６を点灯させて作業を行なう。また、拘束帯５１に装着された磁気ロック装置５３を解除する場合は、解除具固定手段５に装備した専用解除具（マグネットキー）を使用して磁気ロック装置５３を解除する。磁気ロック装置５３の解除方法は、先に示した特許文献１に記載されている。
【００２７】
以上説明した本実施形態によれば、火災や災害などの緊急時等に、看護師等が拘束帯を速やかに解除可能な患者用拘束帯解除具を提供することができる。カッター４による拘束帯５１の切断又は磁気ロック装置の解除による拘束帯の解除を行なうことができ、状況に応じて拘束帯５１の解除方法を選択することができる。また、磁気ロック装置の解除具を着脱することができるので、今まで使用していた磁気ロック装置の解除具を取り付けて使用することができる。また、カッター４を胴２の両脇に備えることにより、片方のカッター４の切れ味が落ちたり破損をしても、他方のカッター４を使用して拘束帯５１の解除を進めることができる。また、胴２の両脇にカッター４を備えていることから、暗闇など視界の悪い状況において、解除具を握る向きをさほど気にする事無く使用することができる。また、照明手段６を発光させることにより、カッター４周辺を照らすことができるので、暗闇でも拘束帯５１の解除を進めることができる。
【００２８】
［変形例］
ここで、本願発明の範囲は、上記の実施形態に限定されない。例えば、上記実施形態では、磁気ロック装置のロックを解除するための専用解除具を、着脱可能に挟持する解除具固定手段５を設けたが、この解除具固定手段５に代えて、前記専用解除具の本体を患者用拘束帯解除具の一部として固定的に備えていてもよい。また、胴２から伸びる腕３およびカッター４は、胴２の両側ではなく、片側だけに装備されていてもよい。胴２から伸びる腕３の形状や長さは、上記実施形態と異なってもよい。患者用拘束帯解除具の管理者が、当該解除具を携帯しやすくし、また安易に紛失しないように、専用ケースを付属し、ストラップで衣服のベルトなどに固定できるようにしてもよい。
【符号の説明】
【００２９】
１  脚
２  胴
３  腕
４  カッター
５  解除具固定手段
６  照明手段
７  スイッチ
８  発光駆動制御回路
９  電源
１０  患者用拘束帯解除具
１１  ストラップ孔
２１  磁気ロック装置を解除する専用解除具の本体
２２  同専用解除具のハンドル
５１  拘束帯
５２  拘束帯の孔
５３  磁気ロック装置（マグネット式ロックピン）
【図１】
2010268863.tif 000003
【図２】
2010268863.tif 000004
【図３】
2010268863.tif 000005
【図４】
2010268863.tif 000006
【図５】
2010268863.tif 000007
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
持ち手となる脚と、この脚の延長上に設けた胴と、この胴の先端部から伸びた腕と、この腕と前記胴との間の脇の下部分に設けたカッターと、前記胴の先端部に装備した磁気ロック装置の解除具とを備えたことを特徴とする患者用拘束帯解除具。
【請求項２】
前記胴の先端部に装備され前記磁気ロック装置の解除具を着脱可能に固定する解除具固定手段を備えたことを特徴とする請求項１記載の患者用拘束帯解除具。
【請求項３】
前記腕およびカッターを前記胴の両脇に備えたことを特徴とする請求項１又は２に記載の患者用拘束帯解除具。
【請求項４】
請求項１，２又は３に記載の患者用拘束帯解除具において、
前記脚又は胴に、前記カッターの方向を照らす１又は複数の照明手段を備えると共に、当該照明手段をオン／オフするスイッチと、このスイッチの操作に応じて前記照明手段を点灯／消灯する発光駆動制御回路とを備えたことを特徴とする患者用拘束帯解除具。